(57)【要約】【課題】  本体からヘラ状部分を取り外して、清掃したり新しいものに取り替えたりすることが可能な洗浄具を提供すること。【解決手段】  この発明の洗浄具は、スポンジ状の本体１に、ヘラ状体２を着脱自在に設けたものとしている。また、ヘラ状体２は、本体１に取り付けるための取付部６と、本体１の外方に広がる薄板部７からなり、取付部６は、薄板部７の中央の本体１側寄りの位置に、本体１側に突出する態様で表裏両側に設けられ、本体１の一端を表裏から挟み込むようにしたものとすることができる。さらに、本体１の一端とヘラ状体２の取付部６にそれぞれ孔４，５，１２，１３，１４，１５を設け、これらの孔４，５，１２，１３，１４，１５に挿通される挿通部９，１０を有する固定具８によってヘラ状体２が本体１に固定されるようにすることができる。【選択図】  図２
2005224303.tif 000002
【特許請求の範囲】
【請求項１】
スポンジ状の本体（１）に、ヘラ状体（２）を着脱自在に設けていることを特徴とする洗浄具。
【請求項２】
ヘラ状体（２）は、本体（１）に取り付けるための取付部（６）と、本体（１）の外方に広がる薄板部（７）からなり、取付部（６）は、薄板部（７）の中央の本体（１）側寄りの位置に、本体（１）側に突出する態様で表裏両側に設けられ、本体（１）の一端を表裏から挟み込むようにしている請求項１記載の洗浄具。
【請求項３】
本体（１）の一端とヘラ状体（２）の取付部（６）にそれぞれ孔（４）（５）（１２）（１３）（１４）（１５）を設け、これらの孔（４）（５）（１２）（１３）（１４）（１５）に挿通される挿通部（９）（１０）を有する固定具（８）によってヘラ状体（２）が本体（１）に固定されるようにしている請求項２記載の洗浄具。
【発明の詳細な説明】
【技術分野】
【０００１】
この発明は、食器や調理器具等を洗浄するための洗浄具に関するものである。
【背景技術】
【０００２】
従来、特許文献１に記載のような、スポンジ状の本体の周縁部にヘラ状部分を形成した洗浄具があった。この洗浄具は、食器に油が付着している場合、まずヘラ状部分で油をこすり取ってから、本体で汚れを落とすことにより、洗剤の使用量を少なくすることが可能であった。
【０００３】
しかし、本体とヘラ状部分が一体に形成されているため、ヘラ状部分の汚れや傷みがひどくなったり、ヘラ状部分の取付部分に汚れがたまったりしても、ヘラ状部分を取り外して清掃したり新しいものに取り替えたりすることはできなかった。
【特許文献１】意匠登録第１１７４２９０号公報
【発明の開示】
【発明が解決しようとする課題】
【０００４】
そこで、この発明は、本体からヘラ状部分を取り外して、清掃したり新しいものに取り替えたりすることが可能な洗浄具を提供することを課題とする。
【課題を解決するための手段】
【０００５】
この発明の洗浄具は、スポンジ状の本体１に、ヘラ状体２を着脱自在に設けたものとしている。
【０００６】
また、ヘラ状体２は、本体１に取り付けるための取付部６と、本体１の外方に広がる薄板部７からなり、取付部６は、薄板部７の中央の本体１側寄りの位置に、本体１側に突出する態様で表裏両側に設けられ、本体１の一端を表裏から挟み込むようにしたものとすることができる。
【０００７】
さらに、本体１の一端とヘラ状体２の取付部６にそれぞれ孔４，５，１２，１３，１４，１５を設け、これらの孔４，５，１２，１３，１４，１５に挿通される挿通部９，１０を有する固定具８によってヘラ状体２が本体１に固定されるようにすることができる。
【発明の効果】
【０００８】
この発明の洗浄具は、上述のような構成を有しており、本体１からヘラ状部分を取り外して、清掃したり新しいものに取り替えたりすることが可能である。
【０００９】
また、ヘラ状体２は、本体１に取り付けるための取付部６と、本体１の外方に広がる薄板部７からなり、取付部６は、薄板部７の中央の本体１側寄りの位置に、本体１側に突出する態様で表裏両側に設けられ、本体１の一端を表裏から挟み込むようにしたものとして実施することが可能で、さらに、本体１の一端とヘラ状体２の取付部６にそれぞれ孔４，５，１２，１３，１４，１５を設け、これらの孔４，５，１２，１３，１４，１５に挿通される挿通部９，１０を有する固定具８によってヘラ状体２が本体１に固定されるようにし、この固定具８の挿通部９，１０を抜き差しすることによりヘラ状体２を本体１から着脱できるようにすることができる。
【発明を実施するための最良の形態】
【００１０】
以下、この発明の好適な実施形態を、図面を参照して説明する。
【００１１】
図１はこの発明の実施形態の洗浄具の斜視図、図２は断面図、図３は分解状態の斜視図、図４はヘラ状体２の取付部６の正面図、図５はこの発明の他の実施形態の洗浄具のヘラ状体の斜視図である。
【００１２】
この発明の洗浄具は、スポンジ状の本体１に、ヘラ状体２を着脱自在に設けたものとしている。
【００１３】
本体１は略四角形状で、両側部が内側に緩やかに湾曲しており、手に持ちやすい形状となっている。本体１の一端には、ヘラ状体２を取り付けるための突出部３を設けている。突出部３には、ヘラ状体２の取付具を挿通させるための２つの孔４，５が形成されている（図３参照）。
【００１４】
本体１は表裏に厚さ２ｃｍ程度の２種類のスポンジ１ａ，１ｂを貼り合せたものとしており、表裏のスポンジ１ａ，１ｂは、硬さ、吸水性、保水性、気孔率、色等を異なるものとし、洗浄対象物の汚れの状況等に応じて表裏を使い分けできるようにしている。
【００１５】
ヘラ状体２は比較的軟質な合成樹脂製としているが、シリコンゴム製等であってもよい。ヘラ状体２は、本体１に取り付けるための取付部６と、本体１の外方に広がる薄板部７からなる。
【００１６】
取付部６は、薄板部７の中央の本体１側寄りの位置に、本体１側に突出する態様で表裏両側に設けられ、前記本体１の一端に設けられた突出部３を表裏から挟み込むようにしており、固定具８によって本体１に固定される。固定具８は、突出部３の厚み程度の長さとした棒状の２本の挿通部９，１０を、一端側で連結板１１により接続した形状のもので、合成樹脂の一体成形により製造されるものとしている。
【００１７】
取付部６には、表裏両側に前記突出部３に形成された２つの孔４，５に対応する孔１２，１３，１４，１５が形成されており、取付部６の表裏の一方の側の孔１２，１３から固定部の挿通部９，１０を差し込み、本体１の突出部３の孔４，５を貫通させ、他方の側の孔１４，１５から挿通部９，１０の先端１６を露出させる。挿通部９，１０の先端１６は、その下の部分１７より拡径した形状とし、前記他方の側の孔１４，１５は、周囲の数箇所に切れ目を設けた形状にし、前記他方の側の孔１４，１５から露出した挿通部９，１０の先端１６が保持されるようにしている。
【００１８】
また、表裏両側の本体１寄りの位置には、複数の突起１８が設けられており、滑り止めになるようにしている。
【００１９】
薄板部７は、取付部６の外側に広がる形状で、角部に丸みをつけた形状としており、取付部６付近から外方に向かって厚みが徐々に薄くなるようにしている。
【００２０】
なお、ヘラ状体２は、図５に示したように、それぞれ別体として形成した表側部分２ａと裏側部分２ｂとを連結してなるようにしたものとしてもよい。この図５に示したヘラ状体２においては、表側部分２ａが取付部６と薄板部７を有し、さらに、取付部６の裏側に突出するように固定具８を一体に設けたものとし、裏側部分２ｂは取付部６のみを有する構成となっている。裏側部分２ｂが薄板部７と固定具８を有する構成としてもよい。
【００２１】
この洗浄具は、例えば、食器、調理器具、壁、浴槽等の洗浄に使用することができる。この洗浄具を使用する場合、洗浄対象物に油汚れや、焦げ、こびりついた汚れ等、スポンジ等では容易に落とせない汚れがあれば、まず、ヘラ状体２でこれらの汚れをこすり落としてから、本体１で残った汚れを落とすことができる。
【００２２】
この洗浄具は、前述のように落としにくい汚れをヘラ状体２でこすって落とせるので、洗剤の使用量を減らすことができ、環境問題の観点から非常に優れたものとなっている。
【００２３】
また、ヘラ状体２は着脱することができるので、本体１とヘラ状体２との間にごみがたまったり、ヘラ状体２に汚れが付着したりしても、ヘラ状部分を取り外して清掃することができ、また、ヘラ状体２を新しいものに取り替えることもできる。
【産業上の利用可能性】
【００２４】
食器や調理器具等の汚れを落とすための洗浄具として利用することが可能である。
【図面の簡単な説明】
【００２５】
【図１】この発明の実施形態の洗浄具の斜視図である。
【図２】この発明の実施形態の洗浄具の断面図である。
【図３】この発明の実施形態の洗浄具の分解状態の斜視図である。
【図４】この発明の実施形態の洗浄具の、ヘラ状体の取付部の正面図である。
【図５】この発明の他の実施形態の洗浄具の、ヘラ状体の斜視図である。
【符号の説明】
【００２６】
１  本体
２  ヘラ状体
６  取付部
７  薄板部
８  固定具
９，１０  挿通部
４，５，１２，１３，１４，１５  孔
【図１】
2005224303.tif 000003
【図２】
2005224303.tif 000004
【図３】
2005224303.tif 000005
【図４】
2005224303.tif 000006
【図５】
2005224303.tif 000007